【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
弁軸を有する駆動弁と、
磁性材料から形成されたアーム部を有し、前記弁軸に連結された一方端から支持部材に揺動自在に支持された他方端に向けて延びる揺動部材と、
前記アーム部に向い合って設けられたコアと、前記コアに旋回されたコイルとを有し、前記揺動部材に電磁力を作用させるため前記コイルに電流を流した時に、前記コアと前記アーム部とを通る磁気回路を形成する電磁石と、
前記磁気回路に沿った磁軸を有し、前記磁気回路に流れる磁束に作用するように設けられた永久磁石とを備え、
前記揺動部材は、互いに間隔を隔てて設けられた第１揺動部材および第２揺動部材を含み、前記電磁石は、前記第１揺動部材と前記第２揺動部材との間に配置され、
前記磁気回路は、前記コアと前記第１揺動部材の前記アーム部とを通る第１磁気回路と、前記コアと前記第２揺動部材の前記アーム部とを通る第２磁気回路とを含み、
前記永久磁石は、前記第１磁気回路および前記第２磁気回路のいずれか一方に流れる磁束を強め、かつ前記第１磁気回路および前記第２磁気回路のいずれか他方に流れる磁束を弱めるように配置され、
前記揺動部材は、前記電磁石から作用された電磁力により、前記他方端を支点に揺動し、前記一方端を介して前記揺動部材の揺動運動を受けた前記駆動弁が、前記弁軸の延びる方向に沿って往復運動する、電磁駆動弁。
【請求項２】
前記永久磁石は、前記コアに設けられている、請求項１に記載の電磁駆動弁。
【請求項３】
前記永久磁石は、前記コアと前記コイルとの間に設けられている、請求項１または２に記載の電磁駆動弁。
【請求項４】
前記永久磁石は、前記コアに内蔵されており、
前記コアは、前記永久磁石によって前記磁気回路上で分割されている、請求項１から３のいずれか１項に記載の電磁駆動弁。
【請求項５】
前記コイルは、前記第１揺動部材の前記アーム部に向い合う第１コイルと、前記第２揺動部材の前記アーム部に向い合う第２コイルとを含む、請求項１に記載の電磁駆動弁。
【請求項６】
弁軸を有する駆動弁と、
互いに間隔を隔てて設けられた第１揺動部材および第２揺動部材を含み、前記弁軸に連結され、第１位置と第２位置との間で揺動することによって、前記駆動弁を前記弁軸の延びる方向に沿って往復運動させる揺動部材と、
前記第１揺動部材と前記第２揺動部材との間に配置され、前記揺動部材に電磁力を作用させるため前記第１揺動部材および前記第２揺動部材をそれぞれ通る第１磁気回路および第２磁気回路を形成する電磁石と、
前記第１磁気回路および前記第２磁気回路のいずれか一方に流れる磁束を強め、かつ前記第１磁気回路および前記第２磁気回路のいずれか他方に流れる磁束を弱めるように配置された永久磁石とを備える電磁駆動弁の制御方法であって、
前記電磁石への電流供給を停止することによって、前記第１位置にある前記揺動部材を前記第２位置に向けて始動させる第１工程と、
前記第１工程の後、前記揺動部材が前記第１位置と前記第２位置との中間位置に到達する前に、前記電磁石への電流供給を開始する第２工程とを備える、電磁駆動弁の制御方法。
【請求項７】
前記第１位置は、前記駆動弁の開弁側の揺動端であり、前記第２位置は、前記駆動弁の閉弁側の揺動端である、請求項６に記載の電磁駆動弁の制御方法。
【請求項８】
前記第１位置は、前記駆動弁の閉弁側の揺動端であり、前記第２位置は、前記駆動弁の開弁側の揺動端である、請求項６に記載の電磁駆動弁の制御方法。
【手続補正２】
【補正対象書類名】明細書
【補正対象項目名】発明の名称
【補正方法】変更
【補正の内容】
【発明の名称】電磁駆動弁およびその制御方法
【手続補正３】
【補正対象書類名】明細書
【補正対象項目名】０００１
【補正方法】変更
【補正の内容】
【０００１】
この発明は、一般的には、電磁駆動弁およびその制御方法に関し、より特定的には、内燃機関に用いられる回転駆動式の電磁駆動弁およびその制御方法に関する。
【手続補正４】
【補正対象書類名】明細書
【補正対象項目名】０００６
【補正方法】変更
【補正の内容】
【０００６】
そこでこの発明の目的は、上記の課題を解決することであり、十分に大きい駆動力が得られる電磁駆動弁およびその制御方法を提供することである。
【手続補正５】
【補正対象書類名】明細書
【補正対象項目名】０００７
【補正方法】変更
【補正の内容】
【０００７】
この発明に従った電磁駆動弁は、弁軸を有する駆動弁と、磁性材料から形成されたアーム部を有し、弁軸に連結された一方端から支持部材に揺動自在に支持された他方端に向けて延びる揺動部材と、電磁石とを備える。電磁石は、アーム部に向い合って設けられたコアと、そのコアに旋回されたコイルとを有する。揺動部材に電磁力を作用させるためコイルに電流を流した時に、電磁石は、コアとアーム部とを通る磁気回路を形成する。電磁駆動弁は、さらに、磁気回路に沿った磁軸を有し、磁気回路に流れる磁束に作用するように設けられた永久磁石を備える。揺動部材は、互いに間隔を隔てて設けられた第１揺動部材および第２揺動部材を含む。電磁石は、第１揺動部材と第２揺動部材との間に配置されている。磁気回路は、コアと第１揺動部材のアーム部とを通る第１磁気回路と、コアと第２揺動部材のアーム部とを通る第２磁気回路とを含む。永久磁石は、第１磁気回路および第２磁気回路のいずれか一方に流れる磁束を強め、かつ第１磁気回路および第２磁気回路のいずれか他方に流れる磁束を弱めるように配置されている。揺動部材は、電磁石から作用された電磁力により、他方端を支点に揺動する。一方端を介して揺動部材の揺動運動を受けた駆動弁が、弁軸の延びる方向に沿って往復運動する。
【手続補正６】
【補正対象書類名】明細書
【補正対象項目名】００１１
【補正方法】変更
【補正の内容】
【００１１】
また好ましくは、永久磁石は、コアに内蔵されている。コアは、永久磁石によって磁気回路上で分割されている。このように構成された電磁駆動弁によれば、磁気回路に流れる磁束を、確実に永久磁石を通過させることができる。これにより、永久磁石内に形成されている磁束を磁気回路に流れる磁束に、さらに効果的に作用させることができる。
また好ましくは、コイルは、第１揺動部材のアーム部に向い合う第１コイルと、第２揺動部材のアーム部に向い合う第２コイルとを含む。
この発明に従った電磁駆動弁の制御方法は、弁軸を有する駆動弁と、揺動部材と、電磁石と、永久磁石とを備える電磁駆動弁の制御方法である。揺動部材は、互いに間隔を隔てて設けられた第１揺動部材および第２揺動部材を含む。揺動部材は、弁軸に連結される。揺動部材は、第１位置と第２位置との間で揺動することによって、駆動弁を弁軸の延びる方向に沿って往復運動させる。電磁石は、第１揺動部材と第２揺動部材との間に配置されている。電磁石は、揺動部材に電磁力を作用させるため第１揺動部材および第２揺動部材をそれぞれ通る第１磁気回路および第２磁気回路を形成する。永久磁石は、第１磁気回路および第２磁気回路のいずれか一方に流れる磁束を強め、かつ第１磁気回路および第２磁気回路のいずれか他方に流れる磁束を弱めるように配置されている。電磁駆動弁の制御方法は、電磁石への電流供給を停止することによって、第１位置にある揺動部材を第２位置に向けて始動させる第１工程と、第１工程の後、揺動部材が第１位置と第２位置との中間位置に到達する前に、電磁石への電流供給を開始する第２工程とを備える。
また好ましくは、第１位置は、駆動弁の開弁側の揺動端であり、第２位置は、駆動弁の閉弁側の揺動端である。
また好ましくは、第１位置は、駆動弁の閉弁側の揺動端であり、第２位置は、駆動弁の開弁側の揺動端である。
【手続補正７】
【補正対象書類名】明細書
【補正対象項目名】００１２
【補正方法】変更
【補正の内容】
【００１２】
以上説明したように、この発明に従えば、十分に大きい駆動力が得られる電磁駆動弁およびその制御方法を提供することができる。